(57)【要約】【課題】ユーザが何らかの情報を端末から得ようと閲覧・操作を開始するときに、ユーザにとって有益であると判断される情報（時刻により変動する情報、予め端末にダウンロードしている情報）をタイムリーに当該端末に表示する携帯端末を提供する。【解決手段】携帯端末であって、携帯端末に関する物理量を測定する物理量センサと、物理量センサにより計測された物理量に基づいて携帯端末がその利用者によって使用可能になった状態を判定する判定部と、判定部によって携帯端末がその利用者によって使用可能になった状態になったと判定されたときに、携帯端末の表示画面において特定の情報の表示を実行する実行部とを備えた携帯端末。【選択図】図１
2019179553.tif 000002
【特許請求の範囲】
【請求項１】
携帯端末に関する物理量を測定する物理量センサと、
前記物理量センサにより計測された物理量に基づいて前記携帯端末の表示画面がその利用者によって使用可能になった状態を判定する判定部と、
前記判定部によって前記携帯端末の前記表示画面がその利用者によって使用可能になった状態になったと判定されたときに、前記携帯端末の前記表示画面において特定の情報の表示を実行する実行部とを備えた携帯端末。
【請求項２】
前記物理量センサは、前記携帯端末に加わる加速度を測定する加速度センサを含む、請求項１に記載の携帯端末。
【請求項３】
前記加速度は、重力加速度もしくは運動加速度または角加速度である請求項２に記載の携帯端末。
【請求項４】
前記判定部によって前記携帯端末がその利用者によって使用可能になった状態になったと判定されたときに、サーバに対して前記携帯端末の表示画面に表示する前記特定の情報の送信を要求する電文を送信する送信部と、
前記送信部から送信された電文に基づいて前記サーバが前記携帯端末に対して送信する前記携帯端末の表示画面に表示する前記特定の情報を受信する受信部をとさらに備え、
前記受信部から受信した前記特定の情報を前記携帯端末の表示画面に表示する請求項１乃至３に記載の携帯端末。
【請求項５】
前記電文は前記携帯端末の位置情報または時刻情報を含み、前記携帯端末の表示画面に
おいて表示される特定の情報は前記位置情報または前記時刻情報に関連して生成される請求項４に記載の携帯端末。
【請求項６】
前記特定の情報は、可変情報である請求項１乃至５に記載の携帯端末。
【請求項７】
前記特定の情報は、前記判定部によって前記携帯端末がその利用者によって使用可能になった状態になったと判定されたときよりも前に、サーバから前記携帯端末にダウンロードされた情報である請求項１乃至５に記載の携帯端末。
【請求項８】
前記物理量センサは、前記携帯端末から前記携帯端末に近接する物体までの距離を検知する近接センサを含む、請求項１に記載の携帯端末。
【請求項９】
前記物理量センサは、前記携帯端末に人の顔が向けられているか否かを検知するイメージセンサを含む、請求項１に記載の携帯端末。
【請求項１０】
携帯端末において測定された前記携帯端末に加わる、当該携帯端末の表示画面がその利用者により閲覧可能となる物理量に基づき前記携帯端末から発信される処理要求電文を受信する受信部と、
前記処理要求電文の内容に基づき、前記携帯端末に表示する特定の情報を送信する送信部とを備える情報提供装置。
【請求項１１】
コンピュータに、
携帯端末に関する物理量を測定する物理量センサにより計測された物理量に基づいて前記携帯端末の表示画面がその利用者によって使用可能になった状態を判定する判定部と、
前記判定部によって前記携帯端末がその利用者によって使用可能になった状態になったと判定されたときに、前記携帯端末の前記表示画面において特定の情報の表示を実行する実行部とを実現させるためのプログラム。
【発明の詳細な説明】
【技術分野】
【０００１】
本発明は、情報を提供する携帯端末および情報提供装置に関する。
【背景技術】
【０００２】
従来、加速度センサから得られる信号より、携帯端末の傾斜角度や、振る、傾けるなどのジェスチャーを検出し、検出されたジェスチャーに応じて、情報コンテンツを表すアイコン群の動きを制御する技術が知られている。具体的には、携帯端末が水平に保たれたとき、携帯端末のディスプレイ中央付近に表示されているアイコンが示すコンテンツをディスプレイに表示させる技術が開示されている（例えば、特許文献１参照。）。
【先行技術文献】
【特許文献】
【０００３】
【特許文献１】特開２００２−１４９６１６号公報
【発明の概要】
【発明が解決しようとする課題】
【０００４】
引用文献１に開示されている技術では、ユーザは所望の情報を検索、閲覧するためには、所望のアイコンを画面中心付近に表示するために、所望のアイコンが画面中央に現れるまで携帯端末を前後左右方向に傾斜させなければならないという課題がある。そこで、本発明の目的の１つは、より簡便な操作により、ユーザが情報を閲覧できる技術を提供することである。
【０００５】
本発明は、ユーザが何らかの情報を当該端末から得ようとしているタイミングである、能動的に携帯端末を取り出して閲覧・操作を開始するときに、ユーザにとって有益であると判断される情報（時刻により変動する情報、予め端末にダウンロードしている情報）をタイムリーに当該端末に表示することができる携帯端末および情報提供装置を提供することを目的の一つとする。
【課題を解決するための手段】
【０００６】
本発明の一実施形態によると、携帯端末に関する物理量を測定する物理量センサと、物理量センサにより計測された物理量に基づいて携帯端末がその利用者によって使用可能になった状態を判定する判定部と、判定部によって携帯端末がその利用者によって使用可能になった状態になったと判定されたときに、携帯端末の表示画面において特定の情報の表示を実行する実行部とを備えたことを特徴とする携帯端末が提供される。
【０００７】
本発明の一実施形態によると、物理量センサが携帯端末に加わる加速度を測定する加速度センサであって、鉛直方向に対する所定の加速度を記憶する加速度保持部と、加速度センサにより計測された加速度が所定の加速度か否かを判別する加速度判定部と、加速度センサにより計測された加速度が所定の加速度であるときに携帯端末の表示画面において特定の情報の表示を実行する実行部とを備えることを特徴とする携帯端末が提供される。
【０００８】
本発明の一実施形態によると、加速度は、重力加速度もしくは運動加速度または角加速度の変位であることを特徴とする携帯端末が提供される。
【０００９】
本発明の一実施形態によると、所定の加速度か否かの判別は、加速度センサにより計測された加速度に基づいて携帯端末の表示画面上に存在する複数の点により形成される仰角が一定範囲内にあるか否かによって判別することを特徴とする携帯端末が提供される。
【００１０】
本発明の一実施形態によると、判定部によって携帯端末がその利用者によって使用可能になった状態になったと判定されたときに、サーバに対して携帯端末の表示画面に表示する特定の情報の送信を要求する電文を送信する送信部と、送信部から送信された電文に基づいてサーバが携帯端末に対して送信する携帯端末の表示画面に表示する特定の情報を受信する受信部をとさらに備え、受信部から受信した特定の情報を携帯端末の表示画面に表示することを特徴とする携帯端末が提供される。
【００１１】
本発明の一実施形態によると、電文は携帯端末の位置情報または時刻情報を含み、携帯端末の表示画面において表示される特定の情報は位置情報または時刻情報に関連して生成されることを特徴とする携帯端末が提供される。
【００１２】
本発明の一実施形態によると、特定の情報は、可変情報であることを特徴とする携帯端末が提供される。
【００１３】
本発明の一実施形態によると、特定の情報は、判定部によって携帯端末がその利用者によって使用可能になった状態になったと判定されたときよりも前に、サーバから携帯端末にダウンロードされた情報であることを特徴とする携帯端末が提供される。
【００１４】
本発明の一実施形態によると、物理量センサが携帯端末から携帯端末に近接する物体までの距離を検知する近接センサであって、近接センサにより、携帯端末から所定の領域に存在する物体があるか否かを判別する近接判定部と、携帯端末から所定の領域に存在する物体はないと判別されたときに携帯端末の表示画面において特定の情報の表示を実行する実行部とを備えることを特徴とする携帯端末が提供される。
【００１５】
本発明の一実施形態によると、物理量センサが携帯端末に人の手が触れているか否かを検知するタッチセンサであって、タッチセンサにより携帯端末に人の手が触れているかどうかを判定するタッチ判定部と、タッチ判定部が携帯端末に人の手が触れていると判別したときに携帯端末の表示画面において特定の情報の表示を実行する実行部とを備えることを特徴とする携帯端末が提供される。
【００１６】
本発明の一実施形態によると、物理量センサが携帯端末に人の顔が向けられているか否かを検知するイメージセンサであって、イメージセンサにより携帯端末に人の顔が向けられているかどうかを判定するタッチ判定部と、イメージ判定部が携帯端末に人の顔が向けられていると判別したときに携帯端末の表示画面において特定の情報の表示を実行する実行部とを備えることを特徴とする携帯端末が提供される。
【００１７】
本発明の一実施形態によると、携帯端末において測定された携帯端末に加わる特定の物理量に基づき携帯端末から発信される処理要求電文を受信する受信部と、処理要求電文の内容に基づき、携帯端末に表示する特定の情報を送信する送信部とを備えることを特徴とする情報提供装置が提供される。
【発明の効果】
【００１８】
本発明によれば、ユーザが何らかの情報を端末から得ようと閲覧・操作を開始するときに、ユーザにとって有益であると判断される情報（時刻により変動する情報、予め端末にダウンロードしている情報）をタイムリーに当該端末に表示することができ、サービス等に対する顧客吸引力を向上させることができる。
【００１９】
また、本発明によれば、端末の鉛直方向に対する傾斜角が一定の範囲内に入った際に所定の新たな情報が表示されるので、より簡易にユーザが所望の情報を閲覧でき、当該情報を閲覧するユーザにより容易に印象付けることができる。
【００２０】
さらに、本発明によれば、端末位置情報や日時をユーザに提供する情報選択の判断材料に含むので、より各ユーザに適した情報を提供することができる。
【図面の簡単な説明】
【００２１】
【図１】本発明の第１実施形態に係る携帯端末の機能構成を示すブロック図である。
【図２】本発明の第１実施形態に係る携帯端末の機能構成を示すブロック図である。
【図３】本発明の第１実施形態に係る携帯端末の動作を示すフローチャートである。
【図４】本発明の第２実施形態に係る携帯端末の機能構成を示すブロック図である。
【図５】本発明の第３実施形態に係る携帯端末の機能構成を示すブロック図である。
【図６】本発明の第４実施形態に係る携帯端末の機能構成を示すブロック図である。
【図７】本発明の第５実施形態に係る情報提供装置の機能構成を示すブロック図である。
【発明を実施するための形態】
【００２２】
以下、本発明の一実施形態に係る携帯端末について、図面を参照しながら詳細に説明する。以下に示す実施形態は本発明の実施形態の一例であって、本発明はこれらの実施形態に限定されるものではない。なお、本実施形態で参照する図面において、同一部分または同様な機能を有する部分には同一の符号または類似の符号（数字の後にＡ、Ｂなどを付しただけの符号）を付し、その繰り返しの説明は省略する場合がある。また、図面の寸法比率は説明の都合上実際の比率とは異なったり、構成の一部が図面から省略されたりする場合がある。
【００２３】
（第１実施形態）
図１は、本発明の第１実施形態に係る携帯端末１００の構成を示すブロック図である。本実施形態における携帯端末１００の具体例としては、スマートフォンがある。しかし、本実施形態においては、携帯端末１００は、スマートフォンに限定されることはない。言い換えると、携帯端末１００は、ネットワークＮＷに接続して他の装置と通信可能な端末であればよく、例えば、携帯電話、携帯型ゲーム機などであってもよい。
【００２４】
携帯端末１００は、物理量センサ１１０、判定部１２０、実行部１３０を有する。
【００２５】
物理量センサ１１０は、携帯端末に関する物理量を測定するセンサである。物理量センサ１１０の測定する物理量は、携帯端末がその利用者によって使用可能になった状態を判定するための何らかの物理量であればよい。図２に示したとおり、物理量センサ１１０の具体例としては、加速度センサ、近接センサ、タッチセンサ、イメージセンサを挙げることができる。物理量センサ１１０は、これらのうち一つのセンサのみにより構成されていてもよい。あるいは、物理用センサ１１０は、複数のセンサから構成され、複数種類の物理量を測定できるようになっていてもよい。
【００２６】
加速度センサは、携帯端末に加わる加速度を測定するものであり、加速度センサが検知する加速度は、重力加速度、運動加速度、角加速度のいずれであってもよく、これらのうち複数の組合せであってもよい。
【００２７】
すなわち、加速度センサは、携帯端末の鉛直方向に対する角度を測定するセンサであってもよく、また、急に加速度が大きくなった後、急に加速度がゼロまたはそれに近い状態になることを測定してもよい。加速度センサにより測定される物理量により、携帯端末を使用していなかったユーザが、携帯端末の使用を開始しようとして、当該携帯端末の表示画面がユーザに閲覧可能な状態に置かれたことを感知することができる。
【００２８】
タッチセンサは、携帯端末により加えられる力を検知するものである。具体的には、加えられた力を電荷量変化により検知するものがある。このようなタッチセンサは、電荷量が一定の間小さく維持されていたのが、急に大きく変化することを検知してもよい。タッチセンサにより測定される物理量により、携帯端末を使用していなかったユーザが、携帯端末の使用を開始しようとして、当該携帯端末を取り出そうとして握ったことを感知することができる。
【００２９】
近接センサは、携帯端末の周囲に存在する物体の近接の程度を検出するセンサである。より具体的には、携帯端末が何らかの物に接触しているか、または当該携帯端末から所定の領域にあり近接している状態にあるかどうか、何にも触れていない状態になったかどうかを感知できるセンサである。近接センサは、赤外線を使用してその反射の程度で携帯端末とその周囲の物との距離を測るものでもよい。近接センサにより測定される物理量により、ユーザがポケット等に格納されていた携帯端末を取り出して、当該携帯端末の表示画面がユーザに閲覧可能な状態に置かれたことを感知することができる。
【００３０】
イメージセンサは、撮像素子と称されることがあり、受光面の結像による明暗の度合いを物理量として検出するセンサである。イメージセンサとしては、ＣＭＯＳ、ＣＣＤなどによるものが知られている。イメージセンサにより測定される物理量により、ユーザが当該携帯端末の方に顔を向けているかどうか、視線を向けているかどうかを検知することができ、当該携帯端末の表示画面がユーザに閲覧可能な状態に置かれたことを検知することができる。
【００３１】
判定部１２０は、物理量センサ１１０により計測された物理量に基づいて携帯端末がその利用者によって使用可能になった状態を判定する。
【００３２】
図２に示したとおり、判定部１２０は、物理量センサ１１０の加速度センサ、近接センサ、タッチセンサ、イメージセンサに対応して、加速度判定部、近接判定部、タッチ判定部、イメージ判定部を有してもよい。
【００３３】
例えば、加速度判定部は、物理量センサ１００により測定される加速度の方向を検出し、携帯端末１００の表示画面の向いている方向が、ユーザが携帯端末１００を手に持って表示画面を見る角度になって静止していることを検出することにより、携帯端末がその利用者によって使用可能になった状態を判定する。
【００３４】
また、加速度判定部は、携帯端末１００に対する加速度が小さい状態から急速に大きくなり、所定時間内に再び加速度が小さい状態に戻ったことを検出してもよい。ここに所定時間とは、携帯端末１００がユーザのポケットなどに入っている状態から取り出され、ユーザが携帯端末１００を手に持って表示画面を見る角度になって静止するまでに要する時間である。また、加速度判定部は、携帯端末１００がユーザのポケットなどに入っている状態から取り出され、ユーザが携帯端末１００を手に持って表示画面を見る角度になって静止するまでの加速度変化を検出すると、利用者によって使用可能になった状態を判定するように構成されていてもよい。
【００３５】
例えば、近接判定部は、物理量センサ１００が携帯端末の周囲に物体が近接して存在する状態から近接して存在しない状態になったと判定したとき等、物理量センサ１００により測定される携帯端末の周囲に存在する物体の近接の程度の変化が、携帯端末１００がユーザのポケットなどに入っている状態から取り出され、ユーザが携帯端末１００を手に持って表示画面を見る状態になるものである場合に、利用者によって使用可能になった状態を判定するように構成される。
【００３６】
例えば、タッチ判定部は、物理量センサ１００により測定される、携帯端末に加えられる力の大きさが、ユーザが携帯端末１００を手に持った時の大きさとなると、利用者によって使用可能になった状態を判定するように構成される。また、タッチ判定部は、携帯端末のどこに力が加えられるかの変化によって、ユーザが携帯端末１００を手に持ったと判定される場合に、利用者によって使用可能になった状態を判定するように構成されていてもよい。
【００３７】
例えば、イメージ判定部は、物理量センサ１００により検出される、受光面の結像に、人の顔が含まれると判定される場合に、利用者によって使用可能になった状態を判定するように構成される。
【００３８】
実行部１３０は、判定部１２０によって携帯端末がその利用者によって使用可能になった状態になったと判定されたときに、携帯端末の表示画面において特定の情報の表示を実行する。
【００３９】
ここで、携帯端末１００の表示画面に表示される特定の情報は、リアルタイムな情報すなわち、時間とともに変化する可変情報であってもよく、また、判定部によって携帯端末がその利用者によって使用可能になった状態になったと判定されたときよりも前に、サーバから携帯端末にダウンロードされた情報であってもよい。
【００４０】
図３は、本発明の第１実施形態に係る携帯端末１００の動作を示すフローチャートである。ステップＳ１０１の処理として、物理センサ１１０により物理量を測定する。ここでいう物理量とは、携帯端末１００に関する物理量である。ステップＳ１０２の処理として、判定部１２０により、物理量センサ１１０により測定された物理量に基づいて、携帯端末１００がその利用者に使用可能となった状態かどうかを判定する。ステップＳ１０３の処理として、ステップＳ１０２の処理により、携帯端末１００がその利用者により使用可能となった状態になったと判定されると、実行部１３０が携帯端末１００の表示画面に特定の情報の表示を実行する。
【００４１】
図３に示すように、本発明の実施形態に係る携帯端末１００においては、物理量センサ１１０が携帯端末に関する物理量を測定すると、判定部が物理量センサにより計測された物理量に基づいて携帯端末がその利用者によって使用可能になった状態になったか否かを判定し、判定部によって携帯端末がその利用者によって使用可能になった状態になったと判定されたときに、実行部が携帯端末の表示画面において特定の情報の表示を実行する。
【００４２】
（第２実施形態）
次に、本発明の第２実施形態に係る携帯端末について、図面を参照しながら詳細に説明する。
【００４３】
図４は、本発明の第２実施形態に係る携帯端末２００の機能構成を示すブロック図である。
【００４４】
携帯端末２００は、加速度センサ２１０、判定部２２０、実行部２３０、保持部２４０を有する。すなわち、第２実施形態に係る携帯端末は、第１実施形態に係る携帯端末の物理量センサが加速度センサとなっている場合に相当するということもできる。
【００４５】
加速度センサ２１０は、携帯端末に加わる加速度を測定するものである。加速度センサ２１０が検知する加速度は、重力加速度、運動加速度、角加速度のいずれであってもよく、これらのうち複数であってもよい。
【００４６】
すなわち、加速度センサ２１０は、携帯端末の鉛直方向に対する角度を測定するセンサであってもよく、また、急に加速度が大きくなった後、急に加速度がゼロまたはそれに近い状態になることを測定してもよい。加速度センサ２１０は、携帯端末を使用していなかったユーザが、携帯端末の使用を開始しようとして、当該携帯端末の表示画面がユーザに閲覧可能な状態に置かれたことを感知してもよい。
【００４７】
保持部２４０は、所定の角度を記憶する。所定の角度は、携帯端末の使用者が携帯端末の表示画面を当該使用者の閲覧可能な状態に置かれた状態と把握できる端末の鉛直方向に対する角度である。
【００４８】
判定部２２０は、加速度センサ２１０により計測された加速度が保持部２４０に記憶された所定の加速度か否かを判別することで、携帯端末がその利用者によって使用可能になったかどうかを判定する。このとき、所定の加速度は、加速度センサ２２０により計測された加速度に基づき、携帯端末の表示画面上に存在する複数の点により形成される所定の仰角の範囲によって定めてもよい。
【００４９】
実行部２３０は、判定部２２０が、携帯端末の鉛直方向に対する角度が保持部２４０で記憶されている所定の角度であると判別したときに、表示画面における特定の情報の表示を実行する。
【００５０】
本発明の他の実施形態に係る携帯端末２００は、物理量センサ２１０が携帯端末の鉛直方向に対する角度を測定すると、保持部２４０で記憶されている所定の角度か否かを判定部２２０が判別し、所定の角度であると判別したときには、実行部２３０が表示画面における特定の情報の表示を実行する。
【００５１】
（第３実施形態）
図５は、本発明の第３実施形態に係る携帯端末３００の機能構成を示すブロック図である。
【００５２】
本発明の第３実施形態に係る携帯端末３００は、物理量センサ３１０、判定部３２０、実行部３３０、送信部３３１、受信部３３２を有する。携帯端末３００は、所定の物理量を記憶した保持部３４０を有してもよい。物理量センサ３１０、判定部３２０については上述した携帯端末１００における物理量センサ１１０、判定部１２０と同様である。
【００５３】
実行部３３０は、送信部３３１及び受信部３３２を有する。
【００５４】
送信部３３１は、判定部３２０によって携帯端末がその利用者によって使用可能になった状態になったと判定されたときに、サーバに対して携帯端末の表示画面に表示する特定の情報の送信を要求する電文を送信する。すなわち、実行部３３０は、判定部３２０によって、物理量センサ３１０が読み取った物理量が所定の物理量であると判別されたときに、サーバ３５０に対して、携帯端末３００の表示画面に表示する特定の情報の送信を要求する電文を送信する。
【００５５】
受信部３３２は、送信部３３１から送信された電文に基づいてサーバ３５０が携帯端末に対して送信する携帯端末の表示画面に表示する特定の情報を受信する。このようにして受信部３３２がサーバ３５０から受信した特定の情報が携帯端末３００の表示画面に表示される。
【００５６】
送信部３３１は、携帯端末がその利用者によって使用可能になった状態になったと判定されたときに、時刻により変動する情報等の送信を要求する電文を送信し、該電文に基づいて受信部３３２が該情報を受信することで、ユーザが何らかの情報を当該端末から得ようとしているタイミングである、能動的に携帯端末を取り出して閲覧・操作を開始するときに、ユーザにとって有益であると判断される情報をタイムリーに当該端末に表示することができる。送信部３３１は、携帯端末がその利用者によって使用可能になった状態になったと判定されるときよりも前にサーバから携帯端末にダウンロードされた情報の送信を要求する電文を送信し、該電文に基づいて受信部３３２が該情報を受信することで、ユーザにとって有益であると判断される情報を当該端末に表示してもよい。送信部３３１は、携帯端末がその利用者によって使用可能になった状態になったと判定されるよりも前の時点で該電文を送信してもよい。例えば、送信部３３１は、加速度判定部が携帯端末に対する加速度が小さい状態から急速に大きくなった状態を検出したときや、近接判定部が携帯端末の周囲に物体が近接して存在する状態から近接して存在しない状態になったと判定したとき等、携帯端末がユーザのポケット等から取り出されたと判定される時点で該電文を送信してもよい。
【００５７】
サーバ３５０に対して携帯端末３００の表示画面に表示する特定の情報の送信を要求する電文は携帯端末３００の位置情報や時刻情報を含んでもよく、携帯端末３００が表示する情報が位置情報や時刻情報に関連して生成されるようにしてもよい。位置情報は、例えば、通信相手のＭＡＣアドレスやＩＰアドレス等であってもよい。これによって、各使用者が置かれた状況に合わせてより適切な情報を提供することができる。
【００５８】
（第４実施形態）
図６は、本発明の第４実施形態に係る携帯端末４００の機能構成を示すブロック図である。
【００５９】
本発明の他の実施形態に係る携帯端末４００は、センサ４１０、判定部４２０、実行部４３０、送信部４３１、受信部４３２を有する。携帯端末４００は、所定の物理量を記憶した保持部４４０を有してもよい。図６に示したとおり、センサ４１０は、加速度センサ４１１、近接センサ４１２、タッチセンサ４１３、イメージセンサ４１４を有してもよい。センサ４１０は、これらのうち一つのセンサのみを有してもよく、複数のセンサを有してもよい。センサ４１０では、携帯端末に加えられる加速度や電荷量、携帯端末から近接する物体までの距離を測定し、携帯端末の表示画面が使用者に閲覧可能な状態に置かれたかどうかを測定する。
【００６０】
保持部４４０は、所定の角度、距離、電荷量、イメージを記憶してもよい。保持部４４０は、これらのうち一つのみを有してもよく、複数有してもよい。
【００６１】
このとき、保持部４４０で記憶される所定の距離の範囲は、携帯端末から当該携帯端末の周囲に存在する物までの所定の距離の範囲であってもよく、携帯端末が周囲に存在する物と接触している状態若しくは携帯端末が周囲に存在する物と近接している状態を示す所定の距離の範囲であってもよい。
【００６２】
また、保持部４４０で記憶される所定の加速度の範囲は、表示画面上に存在する複数の点により形成される仰角の範囲であってもよく、携帯端末が使用されずに静止している状態から、使用者が携帯端末の使用を開始するため携帯端末の表示画面が使用者に閲覧可能な状態に動いたことを示す加速度の変化の範囲を記憶してもよい。
【００６３】
また、保持部４４０で記憶される所定の電荷量の範囲は、端末が使用者に握られていない状態から、使用者が端末の使用を開始するため端末を握ったことを示す電荷量の変化の範囲であってもよい。
【００６４】
また、保持部４４０で記憶される所定のイメージは、ユーザが当該携帯端末の方に顔を向けていることや視線を向けていること等、当該携帯端末の表示画面がユーザに閲覧可能な状態に置かれたことを示すイメージであってもよい。
【００６５】
判定部４２０は、加速度判定部４２１、近接判定部４２２、タッチ判定部４２３、イメージ判定部４２４を有してもよい。判定部４２０は、これらのうち一つのセンサのみを有してもよく、複数のセンサを有してもよい。
【００６６】
加速度判定部４２１は、加速度センサ４１１により計測された加速度に基づき、携帯端末を使用していなかったユーザが、携帯端末の使用を開始しようとして、当該携帯端末の表示画面がユーザに閲覧可能な状態に置かれたことを判別する。
【００６７】
近接判定部４２２は、近接センサ４１２により、携帯端末に接触または端末から所定の領域に近接する物体が存在するか否かを判別する。
【００６８】
タッチ判定部４２３は、タッチセンサ４１３により計測された電荷量が所定の電荷量分布に適合しているか否かを判別する。
【００６９】
イメージ判定部４２４は、イメージセンサ４１４により検知されたイメージが所定のイメージか否かを判別する。
【００７０】
実行部４５０は、判定部４２０が所定の物理量を測定したときに表示画面における特定の情報の表示を実行する。例えば、加速度判定部が端末の表示画面上に存在する複数の点によって形成される仰角が一定範囲内にあると判別したとき、近接判定部が端末に接触または所定領域に近接する物が存在しないと判別したとき、タッチ判定部がタッチセンサにより計測された電荷量が所定の電荷量分布に適合していると判別したとき、イメージ判定部がイメージセンサにより検知されたイメージが所定のイメージであると判別したときに端末の表示画面への特定の情報の表示を実行してもよい。
【００７１】
以上に述べた、角度による判定、近接距離による判定、タッチセンサによる判定、及びイメージによる判定は、それぞれ単独でなされてもよく、また、これらのうちの２以上の判定を組み合わせてなされてもよい。これらのうちの２以上の判定を組み合わせることにより、より的確に、使用者による端末の使用・閲覧行為の開始を判定することができる。
【００７２】
例えば、本発明の他の実施形態に係る携帯端末は、端末に加わる加速度を測定する加速度センサと、端末における電荷量の変位を検知するタッチセンサとを有してもよく、加速度センサにより計測された加速度に基づいて端末の表示画面上に存在する複数の点により形成される仰角が一定範囲内にあるかどうかを判別し、かつ、タッチセンサにより検知された電荷量の変位が所定の分布情報に適合しているかどうかを判別してもよい。そして、端末の表示画面上に存在する複数の点により形成される仰角が一定範囲内にあり、かつ、タッチセンサにより検知された電荷量の変位が所定の分布情報に適合していると判別したときに端末の表示画面への特定の情報の表示を実行してもよい。
【００７３】
（第５実施形態）
図７は、本発明の第５実施形態に係る携帯端末５００の機能構成を示すブロック図である。
【００７４】
携帯端末５００は、受信部５１０と送信部５２０とを有する。
【００７５】
受信部５１０は携帯端末において測定された、携帯端末に加わる特定の物理量に基づいた携帯端末から発信される処理要求電文を受信し、送信部５２０は、処理要求電文の内容に基づき、携帯端末に表示する特定の情報を送信する。
【符号の説明】
【００７６】
１００、２００、３００、４００、５００…携帯端末、１１０、３１０、４１０…物理量センサ、１２０、２２０、３２０、４２０…判定部、１３０、２３０、３３０、４３０…実行部、２４０、３４０、４４０…保持部、３３１、４３１、５２０…送信部、３３２、４３２、５１０…受信部、２１０、４１１…加速度センサ、４１２…近接センサ、４１３…タッチセンサ、４１４…イメージセンサ、４２１…加速度判定部、４２２…近接判定部、４２３…タッチ判定部、４２４…イメージ判定部、３５０、４５０…サーバ
【図１】
2019179553.tif 000003
【図２】
2019179553.tif 000004
【図３】
2019179553.tif 000005
【図４】
2019179553.tif 000006
【図５】
2019179553.tif 000007
【図６】
2019179553.tif 000008
【図７】
2019179553.tif 000009